(57)【要約】【課題】  発泡網（泡消火設備が高膨張泡消火設備であって、その発泡機が発泡補助網を備えている場合は発泡補助網も含む）に埃や油が付着、堆積することを防ぎ、設計通りの発泡倍率を得ることができ、作動に支障を来さない泡消火設備を得る。【解決手段】  泡水溶液を放出するノズル５及び該泡水溶液を衝突させて泡を形成する発泡網３を有する泡放出手段１を備えた泡消火設備において、常時は該発泡網３の目詰まりを防止し、火災時はその目詰まりを防止している位置から消失する第１の目詰まり防止手段７を設ける。【選択図】図１
2011136041.tif 000002
【特許請求の範囲】
【請求項１】
泡水溶液を放出するノズル及び該泡水溶液を衝突させて泡を形成する発泡網を有する泡放出手段を備えた泡消火設備において、
常時は該発泡網の目詰まりを防止し、火災時はその目詰まりを防止している位置から消失する第１の目詰まり防止手段を設けたことを特徴とする泡消火設備。
【請求項２】
前記第１の目詰まり防止手段は、前記発泡網を覆うように取り付けられる水溶性カバーであることを特徴とする請求項１記載の泡消火設備。
【請求項３】
前記泡放出手段は高膨張泡消火設備の発泡機であり、
該発泡機は筐体内に発泡補助網を有しており、
該発泡補助網と前記ノズルとの間に、常時は該発泡補助網の目詰まりを防止し、火災時はその目詰まりを防止している位置から消失する第２の目詰まり防止手段を設けたことを特徴とする請求項１又は２記載の泡消火設備。
【請求項４】
前記泡放出手段は高膨張泡消火設備の発泡機であり、
該発泡機は筐体内に発泡補助網を有しており、
該発泡補助網と前記ノズルとの間に、常時は該発泡補助網の目詰まりを防止し、火災時はその目詰まりを防止している位置から移動する第２の目詰まり防止手段を設けたことを特徴とする請求項１又は２記載の泡消火設備。
【請求項５】
前記第２の目詰まり防止手段は、前記発泡補助網とノズルとの間を遮蔽するように取り付けられる水溶性カバーであることを特徴とする請求項３記載の泡消火設備。
【請求項６】
前記第２の目詰まり防止手段は、前記発泡補助網とノズルとの間を遮蔽するように取り付けられる扉であり、ノズルの放出圧力で開く扉であることを特徴とする請求項４記載の泡消火設備。
【請求項７】
前記水溶性カバーが水溶紙であることを特徴とする請求項２乃至６何れかに記載の泡消火設備。
【発明の詳細な説明】
【技術分野】
【０００１】
本発明は、泡消火設備に関し、より詳細には発泡網の目詰まり防止手段を備えた泡消火設備に関する。
【背景技術】
【０００２】
泡消火設備は、泡水溶液を発泡網（金網）へ勢いよく当てて、泡を生成し、その生成した泡で火炎を覆い、窒息消火及び冷却消火により火災を消火する設備である。この泡消火設備は泡の発泡倍率によって低膨張泡消火設備と高膨張泡消火設備とに分かれる。一般に、低膨張泡消火設備とは発泡倍率が２０倍以下の泡消火設備を指し、高膨張泡消火設備とは発泡倍率が８０倍以上の泡消火設備を指す。
【０００３】
低膨張泡消火設備の泡放出手段は複数の泡ヘッドから構成されており、泡ヘッドには発泡網が設けられている（例えば、特許文献１参照）。
【０００４】
高膨張泡消火設備の泡放出手段は発泡機から構成されており、発泡機には発泡網が設けられている（例えば、特許文献２参照）。尚、発泡機の筐体内に発泡補助網を備えるものもある。
【０００５】
このように泡消火設備は低膨張、高膨張等の発泡倍率に関わらず、ノズルから放射される泡水溶液を発泡させるための発泡網を有している。
【先行技術文献】
【特許文献】
【０００６】
【特許文献１】特開２００５−５２６７１号公報
【０００７】
【特許文献２】実開平５−５３６６０号公報
【発明の概要】
【発明が解決しようとする課題】
【０００８】
泡消火設備は油火災の生じる駐車場や工場等に設置されている。低膨張泡消火設備の泡ヘッドや高膨張泡消火設備の発泡機は天井等には埋め込まれず、通常、外気に露出した状態で設置されている。泡消火設備においては、泡を発泡させるために発泡網が必要となるが、火災や点検時以外では設備自体を作動させないため、発泡網に埃や油が付着、堆積し、発泡網の網目は目詰まりを起こしやすい。このような状態になると泡を放出させる際、設計通りの発泡倍率が得られないという問題がある。
【０００９】
そこで本発明は、発泡網（泡消火設備が高膨張泡消火設備であって、その発泡機が発泡補助網を備えている場合は発泡補助網も含む）に埃や油が付着、堆積することを防ぎ、設計通りの発泡倍率を得ることができ、作動に支障を来さない泡消火設備を得ることを目的とする。
【課題を解決するための手段】
【００１０】
本発明は、泡水溶液を放出するノズル及び該泡水溶液を衝突させて泡を形成する発泡網とを有する泡放出手段を備えた泡消火設備において、常時は該発泡網の目詰まりを防止し、火災時はその目詰まりを防止している位置から消失する第１の目詰まり防止手段を設けたことを特徴とする泡消火設備である。
【００１１】
又、本発明は、前記第１の目詰まり防止手段が、前記発泡網を覆うように取り付けられる水溶性カバーであることを特徴とする泡消火設備である。
【００１２】
又、本発明は、前記泡放出手段が高膨張泡消火設備の発泡機であり、該発泡機が筐体内に発泡補助網を有しており、該発泡補助網と前記ノズルとの間に、常時は該発泡補助網の目詰まりを防止し、火災時はその目詰まりを防止している位置から消失する第２の目詰まり防止手段を設けたことを特徴とする泡消火設備である。
【００１３】
又、本発明は、前記泡放出手段が高膨張泡消火設備の発泡機であり、該発泡機が筐体内に発泡補助網を有しており、該発泡補助網と前記ノズルとの間に、常時は該発泡補助網の目詰まりを防止し、火災時はその目詰まりを防止している位置から移動する第２の目詰まり防止手段を設けたことを特徴とする泡消火設備である。
【００１４】
又、本発明は、前記第２の目詰まり防止手段が、前記発泡補助網とノズルとの間を遮蔽するように取り付けられる水溶性カバーであることを特徴とする泡消火設備である。
【００１５】
又、本発明は、前記第２の目詰まり防止手段が、前記発泡補助網とノズルとの間を遮蔽するように取り付けられる扉であり、ノズルの放出圧力で開く扉であることを特徴とする泡消火設備である。
【００１６】
又、本発明は、前記水溶性カバーが水溶紙であることを特徴とする泡消火設備である。尚、前記水溶性カバーは水に易溶性のものであればよく、水溶紙の他に水溶性高分子等から成る水溶性不織布及びフィルム等で構成してもよい。又、これらは単独で用いてもよいが、併用してもよい。
【発明の効果】
【００１７】
泡消火設備の発泡網に第１の目詰まり防止手段を設けることにより、発泡網が外部に露出しなくなるので、常時は発泡網に埃や油が付着、堆積するのを防ぐことができる。火災時等の泡水溶液の放出時にはこの第１の目詰まり防止手段はその目詰まりを防止している位置から消失するため泡消火設備の作動には支障を来たさない。
【００１８】
第１の目詰まり防止手段に水溶性カバーを用いることにより、泡消火設備の作動時に供給される泡水溶液に水溶性カバーは速やかに溶解して、その目詰まりを防止している位置から消失するため泡消火設備の作動に支障を来たさない。
【００１９】
又、泡消火設備が高膨張泡消火設備であり、発泡補助網を備えている場合は、その発泡補助網に第２の目詰まり防止手段を設けることにより、発泡補助網が外部に露出しなくなるので、常時は発泡補助網に埃や油が付着、堆積するのを防ぐことができる。火災時等の泡水溶液の放出時にはこの第２の目詰まり防止手段はその目詰まりを防止している位置から消失するため泡消火設備の作動には支障を来たさない。
【００２０】
又、泡消火設備が高膨張泡消火設備であり、発泡補助網を備えている場合は、その発泡補助網に第２の目詰まり防止手段を設けることにより、発泡網が外部に露出しなくなるので、常時は当該補助網に埃や油が付着、堆積するのを防ぐことができる。火災時等の泡水溶液の放出時にはこの第２の目詰まり防止手段はその目詰まりを防止している位置から移動するため泡消火設備の作動には支障を来たさない。
【００２１】
第２の目詰まり防止手段に水溶性カバーを用いることにより、泡消火設備の作動時に供給される泡水溶液に水溶性カバーは速やかに溶解して、その目詰まりを防止している位置から消失するため泡消火設備の作動に支障を来たさない。
【００２２】
第２の目詰まり防止手段にノズルの放出圧力により開放される扉を用いることにより、泡消火設備の作動時に供給される泡水溶液の放出圧力によって扉は開放されて、その目詰まりを防止している位置から移動するため泡消火設備の作動に支障を来たさない。
【００２３】
水溶性のカバーに水溶紙を用いることにより、安価な発泡網又は発泡補助網の目詰まり防止手段の構成が可能である。
【図面の簡単な説明】
【００２４】
【図１】本発明の第１の実施の形態を示す断面図であり、糊付けによる水溶性カバーの取り付け例を示す図である。
【図２】本発明の第１の実施の形態を示す断面図であり、ワイヤーを用いた水溶性カバーの取り付け例を示す図である。
【図３】図２の上面図である。
【図４】本発明の第１の実施の形態を示す断面図であり、Ｃリングを用いた水溶性カバーの取り付け例を示す図である。
【図５】図４における取り付け例の概略図である。
【図６】本発明の第２の実施の形態を示す断面図である。
【図７】図６における発泡網の要部拡大図である。
【図８】本発明の第３の実施の形態を示す断面図であり、（ａ）は扉が閉止している状態を、（ｂ）は扉が開放されている状態を示す図である。
【発明を実施するための最良の形態】
【００２５】
本発明の第１の実施の形態について図１乃至５を用いて説明する。本実施の形態は泡放出手段として泡ヘッドを備えた低膨張泡消火設備に本発明を適用した場合の例示である。
【００２６】
図１に示されるように、泡ヘッド１は泡ヘッド本体２の下部に発泡網３を有している。尚、泡ヘッド１は接続口部４を介して図示しない消火設備の泡水溶液給送用配管に接続され、泡水溶液が当該消火設備使用時等にノズル５から噴射されて、発泡網３により発泡し、放出されるようになっている。又、泡ヘッド本体２はその鍔状の周縁に上下方向に貫通する空気取込口６を有している。この空気取込口６はヘッド本体２外部と発泡網３内部とを連通させ、発泡に必要な空気を取り込むためのものである。８は、ヘッド本体２の周縁に形成された周縁側面部である。周縁側面部８は、発泡網３の外側に設けられ、少なくとも後述する水溶性カバー７の一部が糊付けされる高さを有している。
【００２７】
発泡網３は埃や油等の付着、堆積による目詰まりを防ぐため、第１の目詰まり防止手段の一例としての水溶性カバー７により常時はその外部から全体的に覆われており、外部に露出しないようになっている。本実施の形態において水溶性カバー７は水溶紙で構成されている。尚、水溶性カバー７は水に易溶性のものであればよく、水溶紙の他に水溶性高分子等から成る水溶性不織布やフィルム等で構成することもできる。又、水溶性カバー７は発泡網３を覆っていればよく、図１に示されるような覆い方に限定される訳ではない。例えば、水溶性カバー７は発泡網３に密着していてもよいし、逆により離してもよい。
【００２８】
この水溶性カバー７は、常時は前記の様に、発泡網３を外部から覆い、発泡網３の下方に位置してその目詰まりを防止するものであるが、火災時には、発泡網３の目詰まりを防止している位置から消失するようになっている。具体的には、火災時に、ノズル５から噴射され、発泡網３により発泡した上で発泡網３下方に放出される泡水溶液がその下方にある水溶性カバー７に当たることで、水溶性カバー７はその泡水溶液に溶解して、発泡網３の下方から消失するようになっている。従って、火災時に、水溶性カバー７は、発泡網３からの泡の放出の邪魔にはならず、泡消火設備の作動に支障を来たさない。
【００２９】
又、この水溶性カバー７はワイヤー、リング、ホチキス、又は糊付け等により泡ヘッド本体２又は発泡網３に取り付けることができる。
【００３０】
例えば、図１に示されるように、泡ヘッド１の発泡網３を覆う水溶性カバー７は、泡ヘッド本体２の周縁側面部８に糊等で貼付して取り付けることができる。具体的には、水溶性カバー７の上部内周面に糊を塗布し、周縁側面部８に貼付する。水溶性カバー７は発泡網３に直接糊等で貼付してもよいが、このように泡ヘッド本体２側に貼付することで、発泡網３が糊等で目詰まりするのを防ぐことができる。
【００３１】
又、図２及び３に示されるように、ワイヤー９を用いて水溶性カバー７は泡ヘッド本体２に係止により取り付けることもできる。この例において、ワイヤー９は両端がフック状に折り曲げられており、その一端のフック部９ａが水溶性カバー７の上部に貫入されることにより係止され、他端のフック部９ｂが泡ヘッド本体２の空気取込口６に引っ掛けられることにより係止されている。尚、フック部９ｂは泡ヘッド本体２の空気取込口６以外の部分に係止するようにしてもよく、又、泡ヘッド本体２に係止するのではなく、発泡網３の上部網目に引っ掛けられることにより係止させてもよい。
【００３２】
又、図４及び５に示されるように、一部を切り欠いた開口部を有するＣリング１０を用いて水溶性カバー７は泡ヘッド１に取り付けることもできる。この例において、水溶性カバー７は複数箇所で発泡網３の上部の網目と水溶性カバー７の上部に開けられた穴１１とにＣリング１０を挿通させて、取り付けられている。Ｃリング１０はその開口部を開いて発泡網３の網目と水溶性カバー７の穴１１に挿通させて、開口部を押し潰すだけでよく、容易に水溶性カバー７を発泡網３に取り付けることができる。この場合において、Ｃリング１０により発泡網３に直接、水溶性カバー７を取り付けるため、発泡網３を泡ヘッド本体２から取り外した状態で取り付けることもできる。
【００３３】
尚、ホチキスを使用して水溶性カバー７を発泡網３に取り付ける場合、Ｃリング１０の場合と同様に、発泡網３を泡ヘッド本体２から取り外した状態で取り付けるようにすることで、水溶性カバー７と発泡網３の両者をホチキスで挟んで針止めすることができる。
【００３４】
次に本発明の第２の実施の形態について図６及び７を用いて説明する。当該実施の形態は泡放出手段として発泡機を備えた高膨張泡消火設備に本発明を適用した場合の例示である。
【００３５】
図６に示されるように、発泡機１２は発泡機筐体１３とその先端部に発泡網１４を備えている。発泡機筐体１３内の後端側には放射ノズル１６が設けられ、放射ノズル１６は発泡機筐体１３の後方に設けられた配管１５に接続され、火災時には配管１５より泡水溶液が放射ノズル１６に供給される。放射ノズル１６は、発泡網１４に向かって配管１５から供給される泡水溶液を放射するように設けられており、それによって放射ノズル１６から放射される泡水溶液が発泡網１４により発泡し、放出されるようになっている。
【００３６】
発泡網１４は埃や油等の付着、堆積による目詰まりを防ぐため、第１の目詰まり防止手段の一例としての水溶性カバー１７により常時は外部から全体的に覆われており、外部に露出しないようになっている。本実施の形態では水溶性カバー１７は水溶紙で構成されている。尚、水溶性カバー１７は水に易溶性のものであればよく、水溶紙の他に水溶性高分子等から成る水溶性不織布やフィルム等で構成してもよい。
【００３７】
この水溶性カバー１７は、常時は前記の様に、発泡網１４を外部から覆い、発泡網１４の前方に位置してその目詰まりを防止するものであるが、火災時には、発泡網１４の目詰まりを防止している位置から消失するようになっている。具体的には、火災時に、放射ノズル１６から放射され、発泡網１４により発泡した上で発泡網１４前方に放出される泡水溶液がその前方にある水溶性カバー１７に当たることで、水溶性カバー１７はその泡水溶液に溶解して、発泡網１４の前方から消失するようになっている。従って、火災時に、水溶性カバー１７は、発泡網１４からの泡の放出の邪魔にはならず、泡消火設備の作動に支障を来たさない。
【００３８】
又、この水溶性カバー１７は第１の実施の形態と同様に、ワイヤー、リング、ホチキス、又は糊付け等により取り付けることができる。
【００３９】
尚、一般に、高膨張泡消火設備の発泡機１２の発泡網１４はパンチングメタルであるため、発泡網１４の網地１８（発泡網１４の網孔１８ａ以外の部分）は低膨張泡消火設備の泡ヘッド１の金網から構成される発泡網３の網地と比較して広い。このため、発泡網１４の網地１８に糊等が塗布できる。又、網地１８に糊等を塗布しても網孔１８ａが目詰まりを起こしにくい。因って、網地１８に糊等を塗布し、水溶性カバー１７を発泡網１４に貼付して取り付けることもできる。
【００４０】
本実施の形態においては、発泡機筐体１３は発泡機１２の発泡効率を高めるために発泡補助網１９を更に備えている。発泡機筐体１３後端側には発泡時に必要な空気を取込むための空気取込口２３が設けられ、その空気取込口２３から発泡機筐体１３内に入った埃や油等が発泡補助網１９に付着、堆積することがあるので、それを防ぐために、発泡補助網１９と放射ノズル１６との間に少なくとも１つの第２の目詰まり防止手段が設けられている。本実施の形態の第２の目詰まり防止手段は、水溶性カバー２０である。本実施の形態において、当該カバー２０は水溶紙により構成されている。尚、水溶性カバー２０は水に易溶性のものであればよく、水溶紙の他に水溶性高分子等から成る水溶性不織布やフィルム等で構成することもできる。図６に示されるように、水溶性カバー２０は発泡補助網１９の近傍に設けてもよいが、放射ノズル１６の近傍に設けてもよい。水溶性カバー２０を放射ノズル１６の近傍に設けた場合、発泡機筐体１３に開口している空気取込口２３と水溶性カバー２０との距離が短くなるため、発泡機筐体１３内への埃等の進入を防止することもできる。
【００４１】
この水溶性カバー２０は、常時は前記の様に、発泡補助網１９を発泡機筐体１３の後端側から覆い、発泡補助網１９と放射ノズル１６との間に位置してその目詰まりを防止するものであるが、火災時には、発泡補助網１９の目詰まりを防止している位置から消失するようになっている。具体的には、火災時に、ノズル１６から放射される泡水溶液が水溶性カバー２０に当たることで、水溶性カバー２０はその泡水溶液に溶解して、発泡補助網１９と放射ノズル１６との間から消失するようになっている。従って、火災時に、水溶性カバー２０は、発泡補助網１９への泡水溶液の放出の邪魔にはならず、泡消火設備の作動に支障を来たさない。
【００４２】
又、この水溶性カバー２０は、発泡機筐体１３内部の縦断面積よりも若干大きく形成されており、その大きく形成された水溶性カバー２０の周縁部を折り曲げて糊付け部を形成し、その糊付け部に糊等を塗布し、当該糊等により発泡機筐体１３の内部に発泡補助網１９と略平行になるように発泡機筐体１３の上部内壁１３ａに貼付されている。尚、発泡機筐体１３の下部内壁１３ｂや側面部内壁に貼付して取り付けてもよい。
【００４３】
次に本発明の第３の実施の形態について図８を用いて説明する。本実施の形態は第２の実施の形態と同様に泡放出手段として発泡機を備えた高膨張泡消火設備に本発明を適用した場合の例示である。本実施の形態は第２の目詰まり防止手段として水溶性カバー２０に代えて遮蔽扉２１及び２２を備えている点で第２の実施の形態と異なっている。その他の構成は、第２の実施の形態と同じである。
【００４４】
遮蔽扉２１及び２２は放射ノズル１６の近傍に発泡補助網１９と放射ノズル１６との間を遮蔽するように設けられている。遮蔽扉２１は発泡機筐体１３の上部内壁１３ａに軸支部２１ａにより軸支され、遮蔽扉２２は発泡機筐体１３の下部内壁１３ｂに軸支部２２ａにより軸支されている。遮蔽扉２１及び２２の合計の大きさは発泡機筐体１３内部の縦断面積の大きさと略同じなっており、それにより筐体１３内で発泡補助網１９と放射ノズル１６との間を遮蔽できるようになっている。軸支部２１ａ及び２２ａは、発泡機筐体１３の幅方向に沿う回動軸２１ｂ及び２２ｂを有し、遮蔽扉２１及び２２は回動軸２１ｂ及び２２ｂを支点として、発泡補助網１９と放射ノズル１６との間を遮蔽する閉止位置と、その間を開放する開放位置との間で回動可能になっている。具体的には、常時は、図８（ａ）に示されるように、閉止位置、即ち、発泡補助網１９と放射ノズル１６の間の位置で、その間を遮蔽し、発泡機筐体１３内への空気取込口２３からの埃等の進入を防ぎ、発泡補助網１９の目詰まりを防止する位置にあり、火災時は、配管１５から供給される泡水溶液が放射ノズル１６から放射されるとその放水圧力により、図８（ｂ）に示されるように、遮蔽扉２１は回動軸２１ａを支点とし発泡機筐体１３の内部方向（矢印Ａ１方向）に、遮蔽扉２２は回動軸２２ａを支点とし発泡機筐体１３の内部方向（矢印Ａ２方向）にそれぞれ回動して、発泡補助網１９と放射ノズル１６の間を遮蔽し、発泡補助網１９の目詰まりを防止していた位置から移動して、発泡補助網１９と放射ノズル１６ａの間を開放する開放位置に移動するようになっている。又、泡消火設備作動後は、遮蔽扉２１は発泡機筐体１３の上部内壁１３ａに吊るされて軸支されているため、その自重により、遮蔽扉２２は、それを閉止位置に向けて付勢する図示しない付勢手段（例えば、バネ等）を備えており、その付勢力により、それぞれが自動的に回動し閉止位置へと復帰するようになっている。遮蔽扉２１及び２２は共に閉止位置への付勢手段を設け、側面内壁に軸支されることにより、左右に開く扉として取り付けることもできる。
【００４５】
以上、本発明の実施の形態を第１乃至３に分けて説明したが、何れの実施の形態においても、常時は第１の目詰まり防止手段の一例としての水溶性カバー７及び１７並びに第２の目詰まり防止手段の一例としての水溶性カバー２０又は遮蔽扉２１及び２２により、常時は発泡網や発泡補助網の目詰まりを防ぐことができ、火災時には当該２つの手段は各々の目詰まりを防止している位置から消失又は移動して泡消火設備の作動に支障を来たさないようにすることができる。
【００４６】
又、水溶性カバーは簡単に取り付け並びに取り外しができ容易に交換することができる。当該カバーを水溶紙で構成することにより、安価な目詰まり防止手段を提供することもできる。尚、実施の形態１、２において、発泡機を覆う水溶性カバーの形状は、断面が半円状又は楕円状であって、発泡網の形状を一回り大きくして、発泡網全体を覆うことのできるものが使用される。このとき発泡網の外周面と水溶性カバーの内周面とは接しない程度の大きさになるように、水溶性カバーは作られている。
【００４７】
本発明は、上記の実施の形態に限定される訳ではなく、例えば、第２の実施の形態における発泡補助網１９の目詰まり防止手段の一例としての水溶性カバー２０及び第３の実施の形態における当該手段の一例としての遮蔽扉２１及び２２は各々単独で使用してもよいが、併用してもよい。
【００４８】
更に、水溶性カバーは発泡網及び発泡補助網の目詰まり防止手段としての使用だけでなく、埃等が詰まりやすい他の箇所に使用してもよい。具体的には、第２若しくは第３の実施の形態において、放射ノズル１６のノズル孔は小さいため埃等が詰まる可能性があるため、このノズル孔に当該カバーを設けてもよい。
【００４９】
尚、本発明に係る高膨張泡消火設備とは、それが設備される区画内の空気を取り込むインサイドエア式のものだけでなく、区画外の空気を取り込むアウトサイドエア式のものも含む。
【符号の説明】
【００５０】
１  泡ヘッド
２  泡ヘッド本体
３，１４  発泡網
４  接続口部
５  ノズル
６，２３  空気取込口
７，１７，２０  水溶性カバー
８  周縁側面部
９  ワイヤー
１０  Ｃリング
１１  穴
１２  発泡機
１３  発泡機筐体
１５  配管
１６  放射ノズル
１８  網地
１９  発泡補助網
２１，２２  遮蔽扉
【図１】
2011136041.tif 000003
【図２】
2011136041.tif 000004
【図３】
2011136041.tif 000005
【図４】
2011136041.tif 000006
【図５】
2011136041.tif 000007
【図６】
2011136041.tif 000008
【図７】
2011136041.tif 000009
【図８】
2011136041.tif 000010